(57)【要約】【課題】電子機器の外観に露出するビスを削減し、外装カバーの合わせ目となる隙間を狭められる、構成が簡素で部品点数が少なく、廉価に製造可能な電子機器の外装カバー組立構造を提供する。【解決手段】  一方の外装カバー側に、上面から内部側に向けて係止爪部４ｂを突設する。他方の外装カバー側３の一側面寄りに、可動係止部材１３を屈曲した部分で移動可能に装着する。可動係止部材１３の第１の腕部２３の端部に、係止爪部４ｂに摺接可能な斜面部が構成されたガイド部１３ｃを設ける。可動係止部材１３の第２の腕部２５に突部２５ａを設ける。ビス１４ａをビス穴に締結して、突部２５ａを押して可動係止部材１３を移動させ、可動係止部材１３におけるガイド部１３ｃの斜面部を係止爪部４ｂに摺接させる。この動作によって、係止爪部４ｂが設けられた他方の外装カバー側を、一方の外装カバー側との隙間を縮めるように引き寄せるように構成する。【選択図】図６
2010186865.tif 000002
【特許請求の範囲】
【請求項１】
一方の外装カバーを他方の外装カバーに取り付ける電子機器であって、
前記一方の外装カバーには、前記一方の外装カバーの第１の辺に内側に突出した係止爪部と、前記第１の辺と直交する第２の辺に前記一方の外装カバーと前記他方の外装カバーとをビスによって固定するビス穴が形成され、
前記他方の外装カバーには、前記ビス穴に螺挿される前記ビスに当接する突部と、前記係止爪部と当接して前記一方の外装カバーを前記他方の外装カバーに引き寄せる斜面が形成される係止部材が移動可能に取り付けられ、
前記ビスが前記ビス穴に螺挿されることによって、前記ビスが前記突部に当接して、前記斜面が前記係止爪部に当接するように前記係止部材を移動させることを特徴とする電子機器。
【請求項２】
前記突部が前記ビスを押す方向に前記係止部材を付勢する付勢部材を有することを特徴とする請求項１に記載の電子機器。
【請求項３】
前記係止部材は、前記斜面が形成される第１の腕部と前記突部が形成される第２の腕部とを有し、前記第１および第２の腕部が交わる部分で前記他方の外装カバーに対して回動可能に取りけられることを特徴とする請求項１または２に記載の電子機器。
【請求項４】
前記係止部材は、前記回動中心が前記他方の外装カバーの角部に位置するように取り付けられることを特徴とする請求項３に記載の電子機器。
【請求項５】
前記係止部材の回動中心から前記斜面までの距離が前記係止部材の回動中心から突部までの距離よりも長いことを特徴とする請求項３に記載の電子機器。
【請求項６】
前記係止部材は、前記斜面が形成される第１の腕部と前記突部が形成される第２の腕部とを有し、前記第１および第２の腕部が交わる部分で前記他方の外装カバーに対してスライド可能に取りけられることを特徴とする請求項１または２に記載の電子機器。
【発明の詳細な説明】
【技術分野】
【０００１】
本発明は、外装カバーを組み付けて固定する電子機器に関する。
【背景技術】
【０００２】
近年、撮像素子から出力される画像信号・画像情報等をデータファイルとして記録する電子撮像装置が広く普及している。この電子撮像装置（以降、デジタルカメラと称する）は、撮像素子から光電変換によって得られた画像データを、例えばＪＰＥＧ等のファイル形式の画像データに圧縮処理して記録するものである。
【０００３】
このようなデジタルカメラの外装には、前後（もしくは左右）方向に分割した複数の外装部品を一体化して外装カバーで内部構成部品を覆う構成としたものがある。特に、デジタルカメラでは、高品位な外観を実現するために、外装を金属（アルミニウム、ステンレス鋼又はチタン等）で成型し、見た目に加えユ−ザ−が手にした時の剛性感や金属特有の質感等により高級感を与えるものがある。
【０００４】
このような金属製の外装カバーでは、外部からビスにより取り付ける構造にすると、外観の品位が落ち、またデジタルカメラを把持した際にビスの凹凸が指に触れて不快に感ずることがある。さらに、金属製の外装カバーをビスで締結する構造では、使用者がビスを外して外装カバーを取り外して内部の精密な電子部品に触れ、故障の原因になる虞がある。このため、デジタルカメラでは、外装カバーの表面に露出するビスを削減した外装カバー組立構造が求められている。
【０００５】
そこで、デジタルカメラでは、外装カバー（特に上面）の内部に隠れるフック形状により、分割された外装部品同士を結合して外装カバーを組み付ける構造により、ビスを削減するものがある。
【０００６】
このフック形状を用いて分割された外装部品同士を係合一体化する結合構造は、何れか一方の外装カバーに設けた複数のフック形状と、他方に設けた複数の穴形状によって構成されている。
【０００７】
このため、この構造では、フック爪形状と穴形状との製造上の寸法誤差によって、外装カバー間に隙間が生じ外観品位を損なうだけでなく、ガタが発生し、高級感が得られないという懸念がある。
【０００８】
そこで、このフック爪形状と穴形状とを利用した構造では、デジタルカメラの製造工程で、作業者が外装カバーを組み付ける際に、作業者が外装カバーを手で掴んで隙間をできるだけ無くした状態でビスを締め付ける。これにより組み立てられたデジタルカメラの外装カバーの合わせ目の隙間を減少させるという作業工程が必要となっていた。しかし、この外装カバーの合わせ目の隙間を減少させる作業は、作業者にとって負担となり、この組み立て工程の作業性の低下を招いている。また、フック固定のみで外装カバーを締結する構造は、落下時の衝撃に耐え得るものでは無い。さらに、フック固定のみで外装カバーを締結する構造では、一度フック爪が穴から脱落すると、修理が不可能な事態に陥る虞がある。
【０００９】
そこで、従来のデジタルカメラでは、外装カバーの合わせ目の隙間を調節する隙間調節機構を設けたものが提案されている（例えば、特許文献１参照）。この構造では、後カバーと前カバーとの合わせ目を、係止爪と係止穴とで結合するよう構成する。さらに、この隙間調節機構では、後カバーに連係部材を装着し、前カバーに係止爪を取り付ける。この連係部材には、係止穴が形成されると共に、操作用の斜面が形成された斜面部材を一体的に設ける。そして、斜面部材の斜面には、ねじのリードに従って進退動作可能に装着されたねじ軸部の頭部を当接させて構成する。
【００１０】
そして、この隙間調節機構では、連係部材の係止穴に係止爪を係合した状態で、作業者がねじ軸部を回転操作することにより、ねじ軸部の頭部で斜面部材の斜面を押して、連係部材を移動操作可能に構成する。なお、ねじ軸部の頭部と斜面部材の斜面とが常に当接した状態を維持するように、連係部材を付勢するバネを架設する。
【００１１】
このように構成した隙間調節機構では、作業者がねじ軸部を回わすことにより、ねじ軸部の頭部で斜面部材の斜面を押す。これにより、隙間調節機構では、連係部材が移動し、連係部材の係止穴に係合した係止爪を引き寄せて、前カバーと後カバーとの合わせ目を閉じさせる動作が行われる。
【先行技術文献】
【特許文献】
【００１２】
【特許文献１】特開２００８−１４１１２９号公報
【発明の概要】
【発明が解決しようとする課題】
【００１３】
しかしながら上述した外装カバーの組み付け構造では、落下の衝撃に耐え得るように構成する必要がある。このため、この外装カバーの組み付け構造では、係止穴が一体形成された連係部材の剛性を高め、連係部材に設けた斜面部材の斜面を押すねじ軸部の強度を高く構成する必要がある。
【００１４】
また、この外装カバーの組み付け構造では、連係部材を移動操作可能に装着し、ねじ軸部の頭部と斜面部材の斜面との当接状態を維持するため、連係部材を付勢するバネが必要であり、構造が複雑で部品点数が多くなっていた。このため、この外装カバーの組み付け構造では、構成が複雑となってデジタルカメラを小型化することが困難となると共に、部品点数増加によるコスト上昇が問題となっていた。
【００１５】
本発明の目的は、電子機器の外観に露出するビスを削減し、外装カバーの合わせ目となる隙間を狭められる、構成が簡素で部品点数が少なく、廉価に製造可能な電子機器の外装カバー組立構造を構築する。そして高級感のある外観を呈し、ガタの無い高品位な電子機器を構成できる、電子機器を提供することにある。
【課題を解決するための手段】
【００１６】
上記目的を達成するために、本発明の電子機器は、一方の外装カバーを他方の外装カバーに取り付ける電子機器であって、前記一方の外装カバーには、前記一方の外装カバーの第１の辺に内側に突出した係止爪部と、前記第１の辺と直交する第２の辺に前記一方の外装カバーと前記他方の外装カバーとをビスによって固定するビス穴が形成され、前記他方の外装カバーには、前記ビス穴に螺挿される前記ビスに当接する突部と、前記係止爪部と当接して前記一方の外装カバーを前記他方の外装カバーに引き寄せる斜面が形成される係止部材が移動可能に取り付けられ、前記ビスが前記ビス穴に螺挿されることによって、前記ビスが前記突部に当接して、前記斜面が前記係止爪部に当接するように前記係止部材を移動させることを特徴とする。
【発明の効果】
【００１７】
本発明によれば、電子機器の外観の上面に露出するビスを削減し、外装カバーの合わせ目となる隙間を狭めることができる。さらに、構成が簡素で部品点数が少なく、廉価に製造可能な電子機器を提供することができる。そして高級感のある外観を呈し、ガタの無い高品位な電子機器を構成できるという効果がある。
【図面の簡単な説明】
【００１８】
【図１】本発明の電子機器の外装カバー組立構造の実施の形態に係わるデジタルカメラを正面側から見た分解斜視図である。
【図２】本発明の電子機器の外装カバー組立構造の実施の形態に係わるデジタルカメラの正面斜視図である。
【図３】本発明の電子機器の外装カバー組立構造の実施の形態に係わるデジタルカメラの背面斜視図である。
【図４】本発明の電子機器の外装カバー組立構造の実施の形態に係わるデジタルカメラを正面側から見た分解斜視図である。
【図５】本発明の電子機器の外装カバー組立構造の実施の形態に係わるデジタルカメラを背面側から見た分解斜視図である。
【図６】（Ａ）（Ｂ）（Ｃ）は、本発明の実施の形態に係わるデジタルカメラにおける締結機構の部分を取り出して示す要部拡大断面図である。
【図７】（Ａ）（Ｂ）は、本発明の実施の形態に係わるデジタルカメラにおける、他の構成の締結機構の部分を取り出して示す要部拡大断面図である。
【図８】（Ａ）（Ｂ）は、本発明の実施の形態に係わるデジタルカメラにおける、他の構成の締結機構の外装構造の部分を取り出して示す要部拡大断面図である。
【図９】本発明の実施の形態に係わるデジタルカメラにおける締結機構における可動係止部材を取り出して示す要部拡大斜視図である。
【発明を実施するための形態】
【００１９】
以下に、本発明に係る実施の形態について、添付図面を参照して詳細に説明する。
【００２０】
なお、以下に説明する実施の形態は、本発明の実現手段としての一例であり、本発明の要旨を逸脱しない範囲で、種々の実施の形態を採り得ることは勿論である。
【００２１】
図１は、本発明の電子機器の外装カバー組立構造の実施の形態に係わるデジタルカメラを正面側から見た分解斜視図である。
【００２２】
図２は、本発明の電子機器の外装カバー組立構造の実施の形態に係わるデジタルカメラの正面斜視図である。
【００２３】
図３は、本発明の電子機器の外装カバー組立構造の実施の形態に係わるデジタルカメラの背面斜視図である。
【００２４】
図４は、本発明の電子機器の外装カバー組立構造の実施の形態に係わるデジタルカメラを正面側から見た分解斜視図である。
【００２５】
図５は、本発明の電子機器の外装カバー組立構造の実施の形態に係わるデジタルカメラを背面側から見た分解斜視図である。
【００２６】
図６（Ａ）（Ｂ）（Ｃ）は、本発明の実施の形態に係わるデジタルカメラにおける締結機構の部分を取り出して示す要部拡大断面図である。
【００２７】
図７（Ａ）（Ｂ）は、本発明の実施の形態に係わるデジタルカメラにおける、他の構成の締結機構の部分を取り出して示す要部拡大断面図である。
【００２８】
図８（Ａ）（Ｂ）は、本発明の実施の形態に係わるデジタルカメラにおける、他の構成の締結機構の外装構造の部分を取り出して示す要部拡大断面図である。
【００２９】
図９は、本発明の実施の形態に係わるデジタルカメラにおける締結機構における可動係止部材１３を取り出して示す要部拡大斜視図である。
【００３０】
図１乃至図５において、１は、デジタルカメラ本体（電子撮像装置本体）である。このデジタルカメラ本体１は、撮影を可能とする部材、例えば、光学像を光電変換して画像デ−タを生成するＣＣＤやＣＭＯＳイメ−ジセンサ等の撮像素子（不図示）等が回路基板に実装されたものを備える。
【００３１】
このデジタルカメラ本体１では、外装カバーが、フロントカバー２（一方の外装カバー）、センターカバー３（他方の外装カバー）及びリアカバー４の三枚カバーとして構成されている。なお、外装カバーは、フロントカバー及びリアカバーの二枚カバー、左カバー、右カバーの二枚カバー又は三若しくは四枚以上の複数枚のカバーで構成しても良い。
【００３２】
このデジタルカメラ本体１の被写体側（以下前面という）の部分には、被写体像を撮像素子に結像するための沈胴式の光学系撮影レンズ鏡筒５が装着されている。
【００３３】
このデジタルカメラ本体１には、図２に向かって中右上に撮影時に光量が足りないとき等に必要に応じて発光するストロボ発光窓６を設ける。
【００３４】
このデジタルカメラ本体１における非被写体側（以下背面という）の部分には、液晶表示装置（ＬＣＤ）７が配置されている。この液晶表示装置７は、撮像する被写体像の確認や、撮像された画像の再生表示に用いられる。
【００３５】
この図１乃至図５で、８は、シャッターボタンであり、２段階の押圧操作が可能となっている。このシャッタ−ボタン８では、半押し状態まで操作すると、撮影準動作（測光動作や測距動作等）が開始される。
【００３６】
さらに、このシャッターボタン８は、これを全押し状態まで操作すると、被写体が撮影され、後述する記録媒体に被写体像の画像デ−タが記録される。
【００３７】
図３で、９は、蓋部材であり、デジタルカメラ本体１の底部に設けた収納室開口部に、開閉可能に装着されている。この収納室内には、電源となる主電池（使い切り式一次電池のほかに充電式電池も含む）及び撮影された被写体像が記録される記録媒体を挿脱可能に収納する。
【００３８】
図１乃至図５で、１０は、モード設定レバーであり、撮像装置本体１に対してスライド可能に装着されている。このモード設定レバー１０の周囲近傍には、各種の撮影モードに応じた複数のマーク（不図示）が印刷されている。このモード設定レバー１０は、モード設定レバー１０に記された指標を、マークの指標に合わせることで、マークに応じた撮影モードの設定を行うことができるように構成されている。
【００３９】
図３で、１１は、電源・信号の入出力用ジャック保護用のカバー部材である。この電源・信号の入出力用ジャック保護用のカバー部材１１を開状態とすると、電源・信号の入出力用ジャックが現れ、これら入出力用ジャックに対する各種ケーブル類の抜き差しが可能となる。また、図３及び図５で、１２は、撮像装置に機能を指示する際に利用する複数の操作ボタンである。
【００４０】
なお、図示しないが、このデジタルカメラ本体１は、その内部に主基板と補助基板からなる２枚の大型基板を備える。例えば、この主基板には、カードＩ／Ｆ等を含む記録媒体スロットや撮像部、画像処理部、システム制御部、ＬＣＤ表示部、シリアルＩ／Ｆ、シリアル接続端子等が実装されている。また補助基板には、電源供給切換回路、ＤＣ／ＤＣコンバータ、操作ＳＷ、ビデオＩ／Ｆ、ビデオ接続端子及び外部電源入力端子等が実装されている。
【００４１】
次に、デジタルカメラ本体１における電子機器の内部構成部品に対して外装カバーを組み付けるための外装カバー組立構造である、締結機構について説明する。
【００４２】
図１に示すように、デジタルカメラ本体１の外装カバー組立構造では、内部構成部品の外周部にセンターカバー３を組み付けたものに、フロントカバー２を固定と、リアカバー４とを係合し、締結機構で固定するように構成されている。
【００４３】
このデジタルカメラ本体１の外装カバー組立構造では、図４に示すように、センターカバー３を組み付けた内部構成部品に対して、フロントカバー２を組み付けてビス１４ｃ、１４ｄを締め付ける。これによって、フロントカバー２はセンターカバー３に固定されることになる。そして、センターカバー３とリアカバー４とをフック構造で係合する。この外装カバー組立構造では、センターカバー３のビス穴３ａからビス１４ａを締め付ける。このとき、ビス１４ａはリアカバー４の側面（第２の辺）に形成されたビス穴を共締めするので、リアカバー４の側面はビス１４ａによってセンターカバー３に固定される。
【００４４】
このデジタルカメラ本体１に設けるフック構造は、図５に示すように、フロントカバー２を組み付けたセンターカバー３に設けた係止穴に、リアカバー４に設けた係止爪４ｃ、４ｄを挿入して引っ掛ける構造に構成する。
【００４５】
このフック構造では、係止穴に係止爪を引っ掛けた状態で、リアカバー４をセンターカバー３側に引き寄せて相互の隙間を無くすように移動可能とするための遊びを設けて構成する。しかし、係止爪と係止穴の寸法誤差によって、外装カバー間に隙間が生じ外観品位を損なうだけでなくガタが発生する。また、落下時の衝撃に耐えうるものでは無く、一度係止爪が係止穴から脱落することで修復不可能な事態に陥ることも考えられる。
【００４６】
このデジタルカメラ本体１では、センターカバー３とリアカバー４との間に締結機構を設置する。
【００４７】
この締結機構は、図１、図４、図５、図６及び図９に示す如き回動式の締結機構又は図７及び図８に示す如きスライド式の締結機構で構成する。図１、図４、図５、図６及び図９に示す、回動式の締結機構は、略鉤形に形成された可動係止部材１３の屈曲した部分で軸着したものを利用して構成する。
【００４８】
この回動式の可動係止部材１３は、直角に屈曲した部分に配置した穴部１３ｂを、内部構成部品における正面に向かって右上の角部に設けた軸３ｂに軸着して配置する。
【００４９】
この回動式の可動係止部材１３は、デジタルカメラ本体１に対して横方向に延びる第１の腕部２３の先端部にガイド部１３ｃを形成する。このガイド部１３ｃは、第１の腕部２３の先端部の側辺から一体的に突設された小矩形突片を、小矩形突片の基端部で屈曲させて斜状に突出するように構成したものである。
【００５０】
また、回動式の可動係止部材１３には、第１の腕部２３の中間部に、弾性部材であるばね部材２４（付勢部材）を設置する。このばね部材２４は、矩形小板状で、その基端部が弾性ねじり変形可能な、ねじり軸部２４ａで第１の腕部２３の中間部に一体的に取り付けられている。このばね部材２４は、ねじり軸部２４ａがある基端から先端部にかけて第１の腕部２３から徐々に離間する斜めの状態で、第１の腕部２３の中間部に取り付けられている。このように可動係止部材１３とばね部材２４とを一体的に構成した場合には、製造コストを低減させることができる。
【００５１】
この回動式の可動係止部材１３は、直角に屈曲した部分に配置した穴部１３ｂからデジタルカメラ本体１に対して縦方向に延びる第２の腕部２５を備える。第１の腕部２３と第２の腕部２５は直交する。この第２の腕部２５の先端部には、先端部の側辺から直角に折曲して突設された小矩形突片状の突部２５ａを配設する。
【００５２】
このように構成された回動式の可動係止部材１３は、その直角に屈曲した部分を穴部１３ｂによって内部構成部品に形成した軸３ｂに軸着されることにより、軸３ｂを回動中心として図６（Ａ）の位置と図６（Ｂ）の位置との間で回動可能な状態となる。
【００５３】
このデジタルカメラ本体１では、内部構成部品に軸着された可動係止部材１３の第２の腕部２５の突部２５ａに、センターカバー３のビス穴３ａに螺挿されたビス１４ａの先端部が当接するように構成されている。
【００５４】
また、このデジタルカメラ本体１では、内部構成部品の軸３ｂに軸着された可動係止部材１３のガイド部１３ｃが、リアカバー４の内側に突出した係止爪部４ｂに臨むように構成されている。なお、この係止爪部４ｂは、リアカバー４に設けた係止爪を兼用するように構成する。また、このリアカバーの係止爪部４ｂは、リアカバーの第１の辺の所定位置から内部側に向けて突設された小矩形突片状の爪部材に構成し、フック構造と別途に構成しても良い。
【００５５】
さらに、このデジタルカメラ本体１では、内部構成部品に軸着された可動係止部材１３のばね部材２４の端部が、センターカバー３の内周面側に配置された当接面部に当接可能に構成されている。
【００５６】
上述のように構成されたデジタルカメラ本体１では、図６（Ａ）に示すフロントカバー２又はリアカバー４に係わる回動式の締結機構の解除状態で、ビス１４ａをセンターカバー３のビス穴３ａから螺挿する。すると、このデジタルカメラ本体１では、ビス１４ａが可動係止部材１３の突部２５ａを押して穴部１３ｂの周りに可動係止部材１３を回動して、図６（Ｂ）に示す回動式の締結機構の締結状態にセットされる。
【００５７】
また、この回動式の締結機構では、第１の腕部２３が第２の腕部２５よりも長いので、ビス１４ａが螺挿されることによる第２の腕部２５のストロ−ク（移動量）に対し、外装カバーの係止爪部４ｂをロックする第１の腕部２３のストロ−ク（移動量）を多くすることができる。
【００５８】
この回動式の締結機構の締結状態では、ガイド部１３ｃが外側へ移動して、リアカバー４の内部側に向けて突設された係止爪部４ｂをセンターカバー３側に押圧する。このとき、図６（Ｃ）に示すように、ガイド部１３ｃの上端部にかけての斜面部が係止爪部４ｂをセンターカバー３側に押圧しながら摺接することになる。このため、係止爪部４ｂは、ガイド部１３ｃの斜面部にガイドされて、図６（Ｃ）に実線で示す位置から一点鎖線で示す位置へ移動する。
【００５９】
すると、このガイド部１３ｃが外側に移動することに連動して、リアカバー４がセンターカバー３側へ移動して、リアカバー４とセンターカバー３との間の隙間を無くすように合わされて密着する状態となる。これによりデジタルカメラ本体１は、高品位な外観を呈することができる。
【００６０】
さらにこの動作では、可動係止部材１３の第１の腕部２３がセンターカバー３の内周面に接近する動作に伴って、ばね部材２４が押し倒されるように弾性変形して蓄勢された状態となる。
【００６１】
次に、この回動式の締結機構で締結状態から解除状態へ移行する場合には、ビス１４ａを緩めてセンターカバー３のビス穴３ａから外す。すると、可動係止部材１３は、ばね部材２４の弾性復帰の付勢力で穴部１３ｂを回動中心に回動し、図６（Ｂ）に示す締結状態から図６（Ａ）に示す解除状態へ自動的に移動して復帰するので、いわゆる分解作業性を良好とできる。
【００６２】
さらに、このばね部材２４の付勢力によって突部２５ａをビス１４ａに圧接していることにより、ビス１４ａの部分のバックラッシ（雄ねじと雌ねじのガタ）をとり、緩み止めの効果が得られる。
【００６３】
なお、このような作用を奏するばね部材２４は、別体のスプリング等で構成しても良いし、ゴムやスポンジ等の弾性変形する弾性部材で構成しても良い。
【００６４】
また、このデジタルカメラ本体１では、フロントカバー２に対応して設けた回動式の締結機構でも、上述と同様に機能する。
【００６５】
このデジタルカメラ本体１では、前述のような外装構造を用いることにより、各部品精度に関係なく外装カバー合わせ部における隙間寸法のバラツキを抑制し、ガタを減らすことができる。さらに、このデジタルカメラ本体１では、ビスの締結位置が側面部となると共に、可動係止部材１３の作用で、デジタルカメラ本体１の上面内部でロックされる構造を実現できる。
【００６６】
よって、デジタルカメラ本体１の上面の外側表面にビス等の締結部材が露呈することを無くし、使用者の手がデジタルカメラ本体１の上面にあるビスに触れて使用感が悪化することを防止して、使い勝手を良くすることができる。
【００６７】
さらに、デジタルカメラ本体１では、上述の締結機構を用いることによって部品点数を増加することなく、簡素な構成でデジタルカメラの外観に露出するビスを削減できる。これにより、デジタルカメラ本体１は、高級感のある外観を呈し、外装カバーにガタが無い高品位なものとできる。
【００６８】
すなわち、この締結機構では、ビス１４ａの締結時に可動係止部材１３が移動して外装カバーの係止爪部４ｂと係合することで、電子機器の外観の上面部に露出するビス等の締結部材を削減できる。さらに、この締結機構では、外装カバーの開き方向（隙間）を抑制することができる。
【００６９】
よって、デジタルカメラ本体１を持った際、外観露出が比較的少ないと考えられる側面および底面を締結面とできる。このため、外観露出が目立つとされる上面のビス等の締結部材を削減することができ、高級感ある外観を有するデジタルカメラ本体１を提供することができる。
【００７０】
次に、図７及び図８に示す如きスライド式の締結機構で構成したデジタルカメラ本体１の外装カバー組立構造について説明する。
【００７１】
このスライド式の締結機構では、略鉤形に形成された可動係止部材１３０の屈曲した部分に形成したスライド穴１３０ｂ内に軸ピン３ｂを摺動可能に挿通して、可動係止部材１３０をスライド可能に支受したものを利用して構成する。
【００７２】
このスライド式の可動係止部材１３０には、直角に屈曲した部分に第１の腕部２３０の長手方向に沿って長い長円形状に形成したスライド穴１３０ｂを穿設する。このスライド式の可動係止部材１３０は、スライド穴１３０ｂ内に摺動自在に挿通した軸ピン３ｂで、内部構成部品における正面に向かって右上の角部に軸着して配置する。
【００７３】
また、このスライド式の可動係止部材１３０は、内部構成部品に対して、所定横方向（第１の腕部２３０の延出する方向）に沿って移動するよう、取り付ける。このため可動係止部材１３０を、スライド穴１３０ｂに挿通した軸ピン３ｂだけで移動動作をガイドできない場合には、内部構成部品に対して図示しないガイド部材で所定横方向に摺動可能に支受されるように構成しても良い。
【００７４】
図８（Ａ）、（Ｂ）に示すように、スライド式の可動係止部材１３０には、デジタルカメラ本体１に対して横方向に延びる第１の腕部２３０の端部にスライド式のガイド部１３０ｃを形成する。
【００７５】
このスライド式のガイド部１３０ｃは、可動係止部材１３０の先端部から所定距離の位置で屈曲して構成する。このスライド式のガイド部１３０ｃの屈曲する方向は、先端がデジタルカメラ本体１の外面側に向く方向とする。
【００７６】
このように構成されたスライド式のガイド部１３０ｃは、第１の腕部２３０の長手方向に沿って移動したときに、ガイド部１３０ｃの斜面部でガイドして係止爪部４ｂを移動させる。このスライド式のガイド部１３０ｃは、その先端側に向けて移動したときに、ガイド部１３０ｃの斜面部でガイドした係止爪部４ｂを、図８（Ｂ）に実線で示す位置から一点鎖線で示す位置まで移動させる。このようにしてスライド式のガイド部１３０ｃは、先端方向へ移動される動作によって、係止爪部４ｂが設けられたリアカバー４（又はフロントカバー２）を、内部構成部品側に引き付けるようにガイドするように構成されている。すなわち、スライド式のガイド部１３０ｃは、先端方向へ移動して係止爪部４ｂを内部構成部品側に押したときに、リアカバー４（又はフロントカバー２）が内部構成部品側に密着して隙間が閉ざされる締結状態となる。
【００７７】
なお、スライド式のガイド部１３０ｃが第１の腕部２３０の後端側へ移動したときに、スライド式の締結機構で締結状態から解除状態へ移行するように構成されている。
【００７８】
次に、デジタルカメラ本体１に設けられるスライド式の締結機構におけるスライド式のガイド部１３０ｃを、解除状態から締結状態へ移動するための操作機構の構成について説明する。
【００７９】
このスライド式のガイド部１３０ｃは、スライド穴１３０ｂを設けた直角に屈曲した部分からデジタルカメラ本体１に対して縦方向に延びる第２の腕部２５０を備える。この第２の腕部２５０の端部には、側辺から直角に折曲して突設された小矩形突片状の突部２５０ａを設ける。
【００８０】
さらに、このデジタルカメラ本体１では、内部構成部品に軸着された可動係止部材１３の第２の腕部２５０の突部２５０ａに、センターカバー３のビス穴３ａに螺挿されたビス１４ａの先端部が当接するように構成されている。
【００８１】
上述のように構成されたスライド式の締結機構におけるスライド式の可動係止部材１３０を締結状態へ移動するための構成では、ビス１４ａを螺挿する操作によって、締結状態へ移行させる。
【００８２】
すなわち、スライド式の締結機構で締結状態へ移行させる場合には、図７（Ａ）に示すリアカバー４に係わるスライド式の締結機構の解除状態で、ビス１４ａをセンターカバー３のビス穴３ａから螺挿する。すると、ビス１４ａに突部２５ａを押されたスライド式の可動係止部材１３０は、そのスライド穴１３０ｂが、軸ピン３ｂに対して摺動することにより、第２の腕部２５０の長手方向に移動する。この動作により、スライド式の可動係止部材１３０のスライド式のガイド部１３０ｃは、その斜面部で係止爪部４ｂを操作し、図７（Ｂ）に示すスライド式の締結機構の締結状態にセットする。これにより、この係止爪部４ｂを備えたフロントカバー２又はリアカバー４は、内部構成部品に密着された締結状態となる。このように構成することにより、信頼性のある係合が少ないスペ−スで実現できる。
【００８３】
次に、デジタルカメラ本体１に設けられるスライド式の締結機構におけるスライド式のガイド部１３０ｃを、締結状態の位置から解除状態の位置へ自動的に移動するための復帰操作機構の構成について説明する。
【００８４】
このスライド式の締結機構の復帰操作機構は、スライド式のガイド部１３０ｃを、弾性部材の付勢力によって解除状態の位置へ自動的に移動させるよう構成する。
【００８５】
このため、この復帰操作機構では、内部構成部品における係止爪部４ｂに隣接した位置に、弾性部材１６（ここでは圧縮コイルばねを用いる）を、スライド式のガイド部１３０ｃの先端に臨むように配置する。
【００８６】
この弾性部材１６は、その基端部を内部構成部品に固定して設置し、その端部をスライド式のガイド部１３０ｃの先端に当接させた状態にセットする。このように配置された弾性部材１６は、スライド式のガイド部１３０ｃが締結状態へ移動する際に圧縮されて蓄勢される。
【００８７】
また、スライド式の締結機構を締結状態から解除状態に移行する場合には、作業者が、ビス１４ａを抜く。すると、このビス１４ａを抜く動作に伴って、スライド式のガイド部１３０ｃを押圧するよう付勢する弾性部材１６の放勢作用により、スライド式の可動係止部材１３０は、第２の腕部２５０の基端部側へ自動的に移動される。
【００８８】
すなわち、弾性部材１６は、スライド式のガイド部１３０ｃを押圧して可動係止部材１３０をスライド穴１３０ｂが設けられた基端側へ押し戻す放勢動作を行う。このスライド式のガイド部１３０ｃの後退動作によって、ガイド部１３０ｃは、係止爪部４ｂに摺接可能に構成された斜面部の先端側で係止爪部４ｂと当接することになる。このスライド式のガイド部１３０ｃの斜面先端側は、内部構成部品から離間した位置にある。よって、スライド式のガイド部１３０ｃが係止爪部４ｂを内部構成部品側へ押し付ける作用が解除されて、スライド式の締結機構は、解除状態に移行する。
【００８９】
なお、上述したデジタルカメラ本体１におけるスライド式の締結機構の説明では、弾性部材１６を、独立した部品としての圧縮コイルばねで構成したものについて説明した、しかし、この弾性部材１６は、可動係止部材１３０と一体に形成した板バネで構成しても良い。また、ビス１４ａは、デジタルカメラ本体１の外観に露呈するビスとして構成したものについて説明したが、図３に示す電池蓋９等内に隠れた準外観部に配置し又はデジタルカメラ本体１内部に配置しても良い。
【００９０】
なお、上述したスライド式の締結機構の構成、作用及び効果は、前述した回動式の締結機構と同様であるので、その説明を省略する。但し、スライド式の締結機構では、弾性部材１６を用いるため、回動式の締結機構で用いたばね部材２４を設けていない。
【００９１】
さらに本発明の電子機器の外装カバー組立構造は、前述した実施の形態に係わるデジタルカメラ以外に、ビデオカメラ、携帯電話等、種々の電子機器の外装取り付け構造に適用できることは勿論である。
【符号の説明】
【００９２】
１  デジタルカメラ本体１
２  フロントカバー
３  センターカバー
４  リアカバー
４ｂ  係止爪部
５  撮影光学系レンズ鏡筒
６  ストロボ発光窓
７  液晶表示装置（ＬＣＤ）
８  シャッターボタン
９  電池蓋部材
１０  モ−ド設定レバー
１１  ジャック保護カバー
１２  操作釦
１３  可動係止部材
１３ｂ  軸ピン
１３ｃ  ガイド部
１４ａ  ビス
１６  弾性部材
２３  第１の腕部
２４  ばね部材
２５  第２の腕部
２５ａ  突部
【図１】
2010186865.tif 000003
【図２】
2010186865.tif 000004
【図３】
2010186865.tif 000005
【図４】
2010186865.tif 000006
【図５】
2010186865.tif 000007
【図６】
2010186865.tif 000008
【図７】
2010186865.tif 000009
【図８】
2010186865.tif 000010
【図９】
2010186865.tif 000011